(57)【要約】【課題】操作体の移動部分の位置に応じて選択項目の選択操作を受け付ける構成の場合に、操作体による選択位置をユーザに容易且つ確実に認識させることができ、操作体により選択された選択項目の内容をユーザに容易且つ確実に認識させることができる操作装置を提供する。【解決手段】第１ダイヤルスイッチ１の回動操作により選択される風向設定の指標部５１、温度設定の指標部５２及び風量設定の指標部５３の３つの選択項目に対応付けた３つの発光部５５、５６、５７を、それぞれ赤色、青色及び黄色の予め定められた異なる色で発光させる。第１ダイヤルスイッチ１の選択位置マーク１１は、選択した選択項目に対応する発光部５５、５６、５７と同色に発光させる。【選択図】図３
2010192321.tif 000002
【特許請求の範囲】
【請求項１】
操作に応じて移動する移動部分を有する操作体と、前記移動部分の移動域内の複数の位置をそれぞれ示し、複数の選択項目にそれぞれ対応付けられた複数の指標部とを備え、前記移動部分の位置に応じて前記複数の選択項目から一の選択項目の選択操作を受け付ける操作装置において、
前記複数の指標部は、それぞれ異なる色で発光する発光部を有し、
前記操作体は、前記移動部分に設けられた発光部を有し、
前記移動部分の発光部と、選択された一の選択項目に対応する一の指標部の発光部とが同色に発光するようにしてあること
を特徴とする操作装置。
【請求項２】
前記指標部の発光部は、それぞれ予め定められた色で発光し、
前記移動部分の発光部は、選択された一の選択項目に対応する一の指標部の発光部と同色に発光するようにしてあること
を特徴とする請求項１に記載の操作装置。
【請求項３】
前記移動部分の発光部と、選択された一の選択項目に対応する一の指標部の発光部とは、共通の光源が発する光により発光するようにしてあること
を特徴とする請求項１又は請求項２に記載の操作装置。
【請求項４】
前記操作体に挿通される開口が形成された操作パネルと、
該操作パネルに設けられて、前記操作パネルの裏面側に配された光源からの光を表面側へ透光する透光部分と、
前記操作体に設けられて、前記操作パネルの開口に前記操作体が挿通された状態で、前記操作パネルの裏面側から表面側へ光を透光する透光部分と、
前記光源からの光を、前記操作体の透光部分へ導く導光手段と
を更に備え、
前記操作パネルの透光部分が、前記指標部の発光部をなし、
前記操作体の透光部分が、前記操作体の発光部をなすこと
を特徴とする請求項３に記載の操作装置。
【請求項５】
前記導光手段を複数備え、
前記移動部分の位置に応じて、複数の前記導光手段のいずれか１つが、前記操作体の透光部分へ光を導くようにしてあること
を特徴とする請求項４に記載の操作装置。
【発明の詳細な説明】
【技術分野】
【０００１】
本発明は、回転操作又はスライド操作等によって操作体の移動部分を移動させることにより、複数の項目から一の項目を選択する操作を行う構成の操作装置に関する。
【背景技術】
【０００２】
従来、車輌にはカーナビゲーション装置、オーディオ装置及びエアーコンディショナー（以下、エアコンという）等の種々の電気機器が搭載され、車輌の運転者及び同乗者等に対する快適性の向上が図られている。これらの機器を操作するための操作装置はインストルメントパネルなどの運転席近傍に配され、操作のためのスイッチ及びボタン等の複数の操作部を備えている。近年では、車輌に搭載される機器の増加及び各機器の多機能化に伴って、これらの機器を操作するために操作装置はより多くの操作部を備える必要があり、これら操作部の車輌内における配設スペース不足が問題となっている。また多くの操作部を操作装置が備えることによって、操作性が悪化するという問題もある。
【０００３】
この問題に対して、少ない操作部で多くの機能に対する操作を可能とする操作装置が検討されている。例えば、同心で回動する２つの回動操作体を設け、第１の回動操作体に対する回動操作で機器の設定項目を選択し、選択した設定項目に対する設定操作を第２の回動操作体に対する回動操作で行う構成の操作装置が検討されている。この操作装置は、２つの回動操作体が同心で配されるため配設スペースを削減することができ、設定項目の選択操作及び設定操作の二段階の操作で設定を行うため少ない操作部で多くの設定操作を行うことができる。
【０００４】
また例えば、特許文献１においては、設定を変更する際に二方向のうちの一方又は他方へ設定箇所を変位させて操作が行われる操作スイッチにて、ベゼルの裏側からの照明光により、機能表示部としてのインジケータ又はシンボルが発光表示されるスイッチの照明構造であって、操作スイッチの設定箇所の変位に追従する光透過性の着色板をインジケータ又はシンボルと、導光板との間に配置することにより、操作性の向上を図ることができるスイッチ照明構造が提案されている。
【先行技術文献】
【特許文献】
【０００５】
【特許文献１】特開２０００−３３１５５２号公報
【発明の概要】
【発明が解決しようとする課題】
【０００６】
回動操作を受け付ける操作装置では、回動操作体は円板型又は円柱型等である場合が多い。このような形状の回動操作体は、物理的な形状によって回動位置（即ち、選択位置）を認識し難いため、ユーザが選択位置を誤認識する虞があり、誤操作を引き起こす虞があった。特に、車輌に搭載される操作装置は、夜間において視認性が低下するため、選択位置をユーザに確実に認識させるための技術が求められる。上述の２つの回動操作体を備える操作装置の場合、機器の設定項目を選択する第１の回動操作体の選択位置を確実に認識させると共に、選択されている項目がどのような内容の項目であるかを確実に認識させる必要がある。
【０００７】
本発明は、斯かる事情に鑑みてなされたものであって、その目的とするところは、操作体の移動部分の位置に応じて選択項目の選択操作を受け付ける構成の場合に、操作体による選択位置をユーザに容易且つ確実に認識させることができ、操作体により選択された選択項目の内容をユーザに容易且つ確実に認識させることができる操作装置を提供することにある。
【課題を解決するための手段】
【０００８】
本発明に係る操作装置は、操作に応じて移動する移動部分を有する操作体と、前記移動部分の移動域内の複数の位置をそれぞれ示し、複数の選択項目にそれぞれ対応付けられた複数の指標部とを備え、前記移動部分の位置に応じて前記複数の選択項目から一の選択項目の選択操作を受け付ける操作装置において、前記複数の指標部は、それぞれ異なる色で発光する発光部を有し、前記操作体は、前記移動部分に設けられた発光部を有し、前記移動部分の発光部と、選択された一の選択項目に対応する一の指標部の発光部とが同色に発光するようにしてあることを特徴とする。
【０００９】
また、本発明に係る操作装置は、前記指標部の発光部が、それぞれ予め定められた色で発光し、前記移動部分の発光部は、選択された一の選択項目に対応する一の指標部の発光部と同色に発光するようにしてあることを特徴とする。
【００１０】
また、本発明に係る操作装置は、前記移動部分の発光部と、選択された一の選択項目に対応する一の指標部の発光部とが、共通の光源が発する光により発光するようにしてあることを特徴とする。
【００１１】
また、本発明に係る操作装置は、前記操作体に挿通される開口が形成された操作パネルと、該操作パネルに設けられて、前記操作パネルの裏面側に配された光源からの光を表面側へ透光する透光部分と、前記操作体に設けられて、前記操作パネルの開口に前記操作体が挿通された状態で、前記操作パネルの裏面側から表面側へ光を透光する透光部分と、前記光源からの光を、前記操作体の透光部分へ導く導光手段とを更に備え、前記操作パネルの透光部分が、前記指標部の発光部をなし、前記操作体の透光部分が、前記操作体の発光部をなすことを特徴とする。
【００１２】
また、本発明に係る操作装置は、前記導光手段を複数備え、前記移動部分の位置に応じて、複数の前記導光手段のいずれか１つが、前記操作体の透光部分へ光を導くようにしてあることを特徴とする。
【００１３】
本発明においては、例えば回動操作するダイヤルスイッチ又はスライド操作するスライドスイッチ等のように、操作に応じて複数の位置に移動する移動部分を有する操作体を操作装置が備える。操作装置の移動部分の移動域内には、移動部分を移動させる複数の位置を示す指標部を設け、指標部を選択項目に対応付けることにより、操作装置が移動部分の位置に応じて選択項目の選択操作を受け付ける。複数の選択項目に対して設けられる複数の指標部には、それぞれ異なる発光部を設けることによって、ユーザに対して発光部の色の違いで選択項目を区別させることができ、選択項目の内容を認識させることができる。
また、操作体には移動部分に発光部を設けると共に、操作体により選択された一の選択項目に対応する発光部と操作体の発光部とを同色に発光させる。これにより、操作体の操作によっていずれの選択項目が選択されているかを同色の発光色によってユーザに認識させることができる。
【００１４】
また、本発明においては、各選択項目に対応付けて設けられる指標部の発光部は、各選択項目に対して予め定められた色で発光させる。これに対して操作体の発光部は、操作体の操作に応じて発光色を変化させ、移動部分の位置に応じて選択された選択項目の発光部と同色に発光させる。即ち、選択項目に対応付けられた発光部の発光色を変化させるのではなく、操作体の発光色を変化させる構成とする。これにより、選択項目に対応付けられた発光部の発光色は変化しないため、発光色と選択項目との対応が崩れることがなく、ユーザが発光色によって選択項目を把握することができる。
【００１５】
また、本発明においては、移動部分の位置に応じて選択された選択項目の発光部と、操作体の発光部とを、共通の光源が発する光により発光させる構成とする。これにより、操作装置を小型化することができ、且つ、選択された選択項目の発光部と操作体の発光部とを同色で発光させることが容易にできる。
【００１６】
また、本発明においては、操作体が設けられる操作パネルの裏面側に光源を配し、この光源からの光を表面側へ透光させる透光部分を操作パネルに設ける。透光部分を選択項目毎に設けることによって、この透光部分を上述の発光部とすることができる。
また操作パネルには開口を形成し、この開口を通して操作体を操作パネルの裏面側に設けられた回路基板などに接続する構成とし、操作体にも操作パネルの裏面側から表面側へ光を透光する透光部分を設けると共に、この透光部分へ光源からの光を導く導光手段を設ける。これにより、操作パネルの透光部分を上述の発光部とすることができると共に、選択項目に対応付けた発光部と操作体の発光部とを共通の光源で発光させることができる。
【００１７】
また、本発明においては、操作装置が導光手段を複数備え、操作体の移動部分の位置に応じていずれか１つの導光手段が操作体の透光部分へ光を導く構成とする。これにより、例えば異なる色の光を発する複数の光源を操作パネルの裏面側に配し、複数の導光手段がそれぞれ異なる色の光を操作体の透光部分へ導く構成とすることができ、移動部分の位置に応じて操作体の発光部の発光色を変化させることができる。また例えば、１つの光源が発する光を複数の導光手段が操作体の透光部分へ導く構成とし、導光の途中で各導光手段が異なる色に光の色を変換する構成とすることができ、移動部分の位置に応じて操作体の発光部の発光色を変化させることができる。
【発明の効果】
【００１８】
本発明による場合は、異なる色で発光する発光部を複数の選択項目に対応してそれぞれ設け、操作体の移動部分に発光体を設け、移動部分の位置に応じて選択された選択項目に対応する発光部と、操作体の発光部とを同色で発光させる構成とすることにより、操作体による選択位置をユーザに容易且つ確実に認識させることができ、選択された選択項目及びその内容をユーザに容易且つ確実に認識させることができるため、操作装置の操作性を向上することができ、ユーザの誤操作を防止することができる。
【図面の簡単な説明】
【００１９】
【図１】本発明に係る操作装置の外観を示す平面図である。
【図２】本発明に係る操作装置の構成を示すブロック図である。
【図３】本発明に係る操作装置の動作を説明するための模式図である。
【図４】本発明に係る操作装置の構成を示す一部破断側面図である。
【図５】本発明に係る操作装置の構成を示す模式的平面図である。
【図６】変形例１に係る操作装置の動作を説明するための模式的平面図である。
【図７】変形例２に係る操作装置の動作を説明するための模式的平面図である。
【発明を実施するための形態】
【００２０】
以下、本発明をその実施の形態を示す図面に基づき具体的に説明する。図１は、本発明に係る操作装置の外観を示す平面図である。図示の操作装置は、車輌のエアコンを操作するための操作装置であり、車輌のインストルメントパネルなど運転席の近傍に搭載される。操作装置は、ユーザによる回動操作を受け付ける第１ダイヤルスイッチ１及び第２ダイヤルスイッチ２と、文字及び画像等を表示する液晶パネル３と、ユーザによるプッシュ操作を受け付ける４つのプッシュスイッチ４と、第１ダイヤルスイッチ１によりいずれか１つが選択される３つの選択項目が表示された選択項目表示部５とを備えており、これらが操作パネル６の表面に適宜配設された構成である。
【００２１】
第１ダイヤルスイッチ１及び第２ダイヤルスイッチ２は、平面視で略円形をなしており、同心に（回動の中心軸が一致するように）配されている。詳しくは、第１ダイヤルスイッチ１は中央に略円形の開口が形成された円環状をなし、この開口内に略円形の第２ダイヤルスイッチ２が配されている。第２ダイヤルスイッチ２は、第１ダイヤルスイッチ１の開口内で時計回り及び反時計回りに回動させることができる。第１ダイヤルスイッチ１は、エアコンの風向設定、温度設定又は風量設定の３つの項目から１つを設定対象の項目として選択するためのスイッチである。第２ダイヤルスイッチ２は、第１ダイヤルスイッチ１にて選択された項目に対して設定値の変更を行うためのスイッチである。
【００２２】
第１ダイヤルスイッチ１は、第２ダイヤルスイッチ２の周囲を時計回り及び反時計回りに略１２０°の範囲で回動させることができる。第１ダイヤルスイッチ１には略三角形の選択位置マーク１１が、その一の頂点が第１ダイヤルスイッチ１の半径方向の外側へ向くように配設してある。選択位置マーク１１は、第１ダイヤルスイッチ１の回動操作により選択される選択項目を指し示すためのマークであり、第１ダイヤルスイッチ１の回動に伴って移動する。選択位置マーク１１は、第１ダイヤルスイッチ１の回動範囲である略１２０°の範囲で周方向に移動し、この移動域の略中央の位置と、時計回りに略６０°移動した位置と、反時計回りに略６０°移動した位置との３つの位置に移動して停止させることができる。更に選択位置マーク１１は、詳細は後述するが、その位置に応じて赤色、青色又は黄色のいずれか１色で発光する。即ち、選択位置マーク１１は、第１ダイヤルスイッチ１の回動によって複数の位置に移動する移動部分であると共に、移動した位置に応じて発光色が変化する発光部である。
【００２３】
選択項目表示部５は、選択マーク１１の移動域内の左端、中央及び右端の３つの位置に対応して、選択マーク１１の移動位置を示す３つの指標部５１、５２、５３が設けられている。３つの指標部５１、５２、５３は、例えば操作パネル６に直接印刷するなどして設けられ、３つの選択項目を表示する形状をなしている。指標部５１は、選択位置マーク１１の移動域内において、選択位置マーク１１を反時計回りに移動させた位置に対応付けて設けられ、エアコンの風向設定を示すものである。指標部５２は、選択位置マーク１１を中央に移動させた位置に対応付けて設けられ、エアコンの温度設定を示すものである。指標部５３は、選択位置マーク１１を時計回りに移動させた位置に対応付けて設けられ、エアコンの風量設定を示すものである。
【００２４】
また、選択項目表示部５には、選択項目として表示される３つの指標部５１、５２、５３に対応付けて、３つの発光部５５、５６、５７が設けられている。各発光部５５、５６、５７は、円弧状をなしており、第１ダイヤルスイッチ１の半径方向に各指標部５１、５２、５３と並べて配されている。風向設定の指標部５１に対応する発光部５５は赤色に発光し、温度設定の指標部５２に対応する発光部５６は青色に発光し、風量設定の指標部５３に対応する発光部５７は黄色に発光する。
【００２５】
液晶パネル３は、エアコンの動作状態などの種々の情報を文字又はアイコン等により表示することができる。液晶パネル３は、選択項目表示部５に隣接して配されており、選択項目表示部５の３つの指標部５１、５２、５３に対応する位置に各設定の設定値をそれぞれ表示する。即ち、液晶パネル３は、略中央に設定されたエアコンの温度を表示し、その左側に設定されたエアコンの風向を表示し、右側に設定されたエアコンの風量を表示する。
【００２６】
４つのプッシュスイッチ４は、ユーザのプッシュ操作に応じてオン／オフをトグル的に切り替えるスイッチであり、操作パネル６の第１ダイヤルスイッチ１及び第２ダイヤルスイッチ２を間にしてその左右に２つずつ配されている。各プッシュスイッチ４のエアコンに対する操作内容については詳細な説明を省略するが、例えばエアコンの主電源のオン／オフなどをプッシュスイッチ４により操作することができる。
【００２７】
図２は、本発明に係る操作装置の構成を示すブロック図である。操作装置は、第１ダイヤルスイッチ１の回動位置を検知するための位置検知部７２と、第２ダイヤルスイッチ２の回動量及び回動方向を検知するためのロータリエンコーダ７３と、４つのプッシュスイッチ４（図２においては１つのみ図示してある）に対するプッシュ操作を検知するプッシュ検知部７４とを備えており、これらの検知結果は制御部７１へ与えられる。
【００２８】
制御部７１は、具体的にはＣＰＵ（Central Processing Unit）又はＭＰＵ（Micro Processing Unit）等で構成されるものであり、位置検知部７２、ロータリエンコーダ７３及びプッシュ検知部７４からの検知結果、即ちユーザの操作に応じて、発光制御部７５、画像処理部７６及び出力部７７等の制御処理を行う。
【００２９】
発光制御部７５は、赤色ＬＥＤ（Light Emitting Diode）８５、青色ＬＥＤ８６及び黄色ＬＥＤ８７を発光させる電圧／電流印加回路を有しており、制御部７１の制御に応じて３つのＬＥＤの点灯／消灯を制御する。例えばプッシュスイッチ４に対するプッシュ操作によってエアコン９の主電源オン操作がなされた場合、制御部７１は発光制御部７５へＬＥＤの点灯指示を与え、これに応じて発光制御部７５がＬＥＤを点灯する。逆に、エアコン９の主電源オフ操作がなされた場合、制御部７１は発光制御部７５へＬＥＤの消灯指示を与え、これに応じて発光制御部７５がＬＥＤを消灯する。３つのＬＥＤは、選択項目表示部５の３つの指標部５１、５２、５３に対応する発光部５５、５６、５７の光源をなすと共に、第１ダイヤルスイッチ１の選択位置マーク１１（発光部）の光源をなしている。
【００３０】
画像処理部７６は、制御部７１の指示に応じて液晶パネル３に表示する画像を生成し、画像信号を液晶パネル３へ出力することによって、液晶パネル３の表示を制御する。例えば第１ダイヤルスイッチ１及び第２ダイヤルスイッチ２に対する操作によってエアコン９の温度設定が変更された場合、制御部７１は新たな設定温度を画像処理部７６へ通知して表示画像の更新指示を与え、これに応じて画像処理部７６が液晶パネル３の表示を変更する。
【００３１】
出力部７７は、制御部７１の指示に応じてエアコン９に対する制御信号を出力する。例えば第１ダイヤルスイッチ１及び第２ダイヤルスイッチ２に対する操作によってエアコン９の温度設定が変更された場合、制御部７１は新たな設定温度を出力部７７へ通知してエアコン９への制御信号の出力指示を与え、これに応じて出力部７７が新たな設定温度に応じた動作を行うようにエアコン９へ制御信号を与え、エアコン９の動作を制御する。
【００３２】
図３は、本発明に係る操作装置の動作を説明するための模式図である。選択項目表示部５において、風向設定の発光部５５は赤色に発光し、温度設定の発光部５６は青色に発光し、風量設定の発光部５７は黄色に発光している。選択位置マーク１１が風向設定の指標部５１の位置となるように第１ダイヤルスイッチ１が回動操作された場合（図３（ａ）参照）、第１ダイヤルスイッチ１の選択位置マーク１１は、風向設定の発光部５５と同色に、赤色に発光する。第１ダイヤルスイッチ１の回動位置（即ち、選択位置マーク１１の位置）は位置検知部７２にて検知され、検知結果を通知された制御部７１は風向設定の変更操作の受け付けを待機する。
【００３３】
この状態で第２ダイヤルスイッチ２が回動操作された場合、ロータリエンコーダ７３により回動操作が検知され、検知された回動方向及び回動量に応じて制御部７１は風向設定の変更操作を受け付け、変更された風向設定を画像処理部７６及び出力部７７へ通知する。画像処理部７６は風向設定の変更に応じた画像を液晶パネル３に表示し、出力部７７は風向の変更を行わせる制御信号をエアコン９へ出力する。
【００３４】
また、選択位置マーク１１が温度設定の指標部５２の位置となるように第１ダイヤルスイッチ１が回動操作された場合（図３（ｂ）参照）、選択位置マーク１１は、温度設定の発光部５６と同色に、青色に発光する。第１ダイヤルスイッチ１の回動位置は位置検知部７２にて検知され、検知結果を通知された制御部７１は温度設定の変更操作の受け付けを待機する。この状態で第２ダイヤルスイッチ２が回動操作された場合、ロータリエンコーダ７３により回動操作が検知され、検知された回動方向及び回動量に応じて制御部７１は温度設定の変更操作を受け付け、変更された温度設定を画像処理部７６及び出力部７７へ通知する。画像処理部７６は温度設定の変更に応じた画像を液晶パネル３に表示し、出力部７７は設定温度の変更を行わせる制御信号をエアコン９へ出力する。
【００３５】
同様に、選択マーク１１が風量設定の指標部５３の位置となるように第１ダイヤルスイッチ１が回動操作された場合（図３（ｃ）参照）、選択位置マーク１１は、風量設定の発光部５７と同色に、黄色に発光する。第１ダイヤルスイッチ１の回動位置は位置検知部７２にて検知され、検知結果を通知された制御部７１は風量設定の変更操作の受け付けを待機する。この状態で第２ダイヤルスイッチ２が回動操作された場合、ロータリエンコーダ７３により回動操作が検知され、検知された回動方向及び回動量に応じて制御部７１は風量設定の変更操作を受け付け、変更された風量設定を画像処理部７６及び出力部７７へ通知する。画像処理部７６は風量設定の変更に応じた画像を液晶パネル３に表示し、出力部７７は風量の変更を行わせる制御信号をエアコン９へ出力する。
【００３６】
このように、風向設定、温度設定及び風量設定の３つの選択項目に対応付けた３つの発光部５５、５６、５７をそれぞれ赤色、青色及び黄色の異なる色で発光させておき、第１ダイヤルスイッチ１を回動操作して風向設定、温度設定及び風量設定の３つの選択項目の選択を変更した場合に、第１ダイヤルスイッチ１の選択位置マーク１１を選択した選択項目に対応する発光部５５、５６、５７と同色に発光させることによって、ユーザは第１ダイヤルスイッチ１によりいずれの選択項目が選択されているかを容易に且つ確実に認識することができる。
【００３７】
図４は、本発明に係る操作装置の構成を示す一部破断側面図であり、図中の一点鎖線より左側に操作装置の側断面を示してある。また図５は、本発明に係る操作装置の構成を示す模式的平面図である。操作装置は、操作パネル６の裏面側に配された回路基板７８を備えており、この回路基板７８に制御部７１、発光制御部７５、画像処理部７６及び出力部７７をなす回路が構成されると共に、位置検知部７２、ロータリエンコーダ７３、プッシュ検知部７４、赤色ＬＥＤ８５、青色ＬＥＤ８６及び黄色ＬＥＤ８７等の素子が搭載されている。
【００３８】
第２ダイヤルスイッチ２は、中空の略円柱形をなしており、操作パネル６の開口及び第１ダイヤルスイッチ１の開口を通して、略円筒状をなす連結部材２１を介してロータリエンコーダ７３の回転軸に接続されている。第２ダイヤルスイッチ２とロータリエンコーダ７３の回転軸とは一体に回転する。ロータリエンコーダ７３は回転軸の回転に応じたパルス信号を出力する素子であり、制御部７１はこのパルス信号に基づいて第２ダイヤルスイッチ２の回動方向及び回動量を取得することができる。
【００３９】
回路基板７８には、第２ダイヤルスイッチ２、連結部材２１及びロータリエンコーダ７３の周囲を囲むように、略円筒型のベース筒２５が立設されている。第１ダイヤルスイッチ１は、操作パネル６の表面側に露出し、選択位置マーク１１が設けられる円環部１２と、円環部１２の裏面側に連結され、操作パネル６の開口を挿通する円筒部１３とを有している。第１ダイヤルスイッチ１の円筒部１３の内径は、ベース筒２５の外径に略等しくしてあり、ベース筒２５に円筒部１３を嵌合させることによって第１ダイヤルスイッチ１はベース筒２５に回動可能に支持されている。
【００４０】
また回路基板７８には、ベース筒２５の外側に位置検知部７２をなすスイッチ素子が搭載されている。このスイッチ素子は、棒状の検知部材の揺動により切り替えが行われる３接点のスイッチ素子であり、第１ダイヤルスイッチ１の円筒部１３の外周面に設けられた突起など（図示は省略する）により、回動位置に応じてスイッチ素子の検知部材を揺動させる構成とすることによって、位置検知部７２が第１ダイヤルスイッチ１の回動位置を検知するようにしてある。
【００４１】
また、第１ダイヤルスイッチ１には、円筒部１３の外周面から円環部１２の表面側の選択位置マーク１１まで、光を透過する透光部分１１ａが円筒部１３に埋め込まれるように設けられている。透光部分１１ａは操作パネル６の裏面側にて発せられた光を表面側まで透過することができ、第１ダイヤルスイッチ１の円環部１２の表面側における透光部分１１ａの露出部分が略三角形に形成され、選択位置マーク１１を構成している。
【００４２】
操作パネル６には、光を透過する透光部分５６ａが操作パネル６に埋め込まれるように設けられている。透光部分５６ａは、平面視で略円弧形をなし、操作パネル６の裏面側にて発せられた光を表面側へ透過することができ、これにより選択項目表示部５の発光部５６を構成している。回路基板７８は操作パネル６と略平行に配されており、回路基板７８には操作パネル６の透光部分５６ａに対向する位置に青色ＬＥＤ８６が搭載されている。また回路基板７８には、青色ＬＥＤ８６の周囲を囲むように筒状の導光部材９０が設けられている。
【００４３】
導光部材９０は、両端の開口が略円弧形をなす第１筒部９１と、この第１筒部９１の側面に突設された第２筒部９２とを備えている。第１筒部９１は、一端の開口内に青色ＬＥＤ８６が配されるように、且つ、他端の開口が操作パネル６の透光部分５６ａを囲むようにして、回路基板７８に立設されており、回路基板７８に配された青色ＬＥＤ８６が発する光を外部に漏洩させずに操作パネル６の透光部分５６ａ（発光部５６）へ導くことができるようにしてある。
【００４４】
第２筒部９２は、第１筒部９１の立設方向に対して略垂直に（即ち、回路基板７８に略平行に）、第１ダイヤルスイッチ１の円筒部１３の外周面へ向けて、第１筒部９１の側面に突設されている。第２筒部９２の一端は、第１筒部９１の側面に形成された開口９３を囲むように、第１筒部９１の側面に固定されている。また第２筒部９２の他端は、第１ダイヤルスイッチ１の回動に支障をきたすことがない程度に、円筒部１３の外周面に近接するように配される。これにより、青色ＬＥＤ８６が発する光を第２筒部９２を通して第１ダイヤルスイッチ１の円筒部１３の外周面へ導くことができる。
【００４５】
なお、説明は省略するが、操作装置は上述の導光部材９０を３つ備えており、赤色ＬＥＤ８５及び黄色ＬＥＤ８７が発する光についても同様に、導光部材９０によって発光部５５、５７及び第１ダイヤルスイッチ１の円筒部１３の外周面へ導くことができる。
【００４６】
第１ダイヤルスイッチ１の透光部分１１ａは、その一部が円筒部１３の外周面に露出しており、この露出部分のサイズは導光部材９０の第２筒部９２の開口サイズと略等しくしてある。第１ダイヤルスイッチ１の回動に伴って選択位置マーク１１が風量設定の指標部５１、温度設定の指標部５２又は風量設定の指標部５３のいずれかを指し示す位置へ移動した場合、対応する位置に設けられた導光部材９０の第２筒部９２の開口と、第１ダイヤルスイッチ１の円筒部１３における透光部分１１ａの露出部分とが対向する。これにより、導光部材９０の第２筒部９２を通してＬＥＤが発する光が透光部分１１ａに導かれ、透光部分１１ａによって第１ダイヤルスイッチ１の円筒部１３の外周面から円環部１２の表面側へ光が透過される。よって、選択位置マーク１１は、選択された設定に対応する発光部５５、５６、５７と同色に発光する。
【００４７】
以上の構成の操作装置においては、第１ダイヤルスイッチ１の回動操作により選択される風向設定、温度設定及び風量設定の３つの選択項目に対応付けた３つの発光部５５、５６、５７をそれぞれ赤色、青色及び黄色の予め定められた異なる色で発光させる構成とすることにより、発光色の違いによってユーザに選択項目を区別させることができる。また、第１ダイヤルスイッチ１の選択位置マーク１１は、選択した選択項目に対応する発光部５５、５６、５７と同色に発光させる構成とすることにより、いずれの選択項目が選択されているかをユーザに容易且つ確実に認識させることができる。よって、操作装置の操作性を向上することができ、ユーザによる誤操作を防止することができる。
【００４８】
また、操作パネル６には選択項目毎に透光部分を設け、回路基板７８に搭載されたＬＥＤが発する光を導光部材９０の第１筒部９１によって操作パネル６の透光部分へ導くと共に、第１ダイヤルスイッチ１の選択位置マーク１１に対応する透光部分１１ａを設け、導光部材９０の第２筒部９２がＬＥＤの光を第１ダイヤルスイッチ１の透光部分１１ａへ導く構成とすることにより、選択項目毎の発光部５５、５６、５７と第１ダイヤルスイッチ１の選択位置マーク１１とを共通の光源で同色に発光させることができる。よって、第１ダイヤルスイッチ１には光源を搭載する必要がないため、操作装置の小型化及び低価格化を実現することができる。
【００４９】
また、赤色ＬＥＤ８５、青色ＬＥＤ８６及び黄色ＬＥＤ８７の各ＬＥＤに対して導光部材９０を設け、第１ダイヤルスイッチ１の回動によっていずれか１つの導光部材９０が透光部分１１ａへＬＥＤの光を導く構成とすることにより、第１ダイヤルスイッチの回動に伴って選択位置マーク１１の発光色を変化させることができ、選択した選択項目に対応する色で選択位置マーク１１を発光させることができる。
【００５０】
なお、本実施の形態においては、車輌に搭載されたエアコンの設定を行う操作装置を例に説明を行ったが、これに限るものではなく、操作装置の操作対象はその他の種々の機器であってよい。また第１ダイヤルスイッチ１の回動によって風向設定、温度設定及び風量設定の３つの選択項目の選択操作を行う構成としたが、選択項目は一例であってこれに限るものではなく、その他の種々の設定を選択項目としてよい。また選択項目は３つでなくてよく、２つ又は４つ以上であってよい。
【００５１】
また、選択項目に対応する発光部５５、５６、５７を赤色、青色及び黄色の異なる３色で発光させる構成としたが、発光色は一例であって、その他の色で発光させてもよい。また、各発光部５５、５６、５７は”異なる色”で発光させる必要があるが、同じ色であっても濃淡に差を設けて発光させる構成（例えば、淡い赤、中間の赤及び濃い赤などで発光させる構成）であっても、ユーザが色の差を認識できるものであれば”異なる色”であるものとする。また、選択された選択項目の発光部５５、５６、５７と第１ダイヤルスイッチ１の選択位置マーク１１は”同じ色”で発光させる必要があるが、例えば赤色とピンク色、青色と水色のように多少の色の差があっても、相対的に他の色に対してユーザが同じであると認識できるものであれば”同じ色”であるものとする。
【００５２】
また、選択項目表示部５には選択項目を表す指標部５１、５２、５３と発光部５５、５６、５７とをそれぞれ別に設ける構成としたが、これに限るものではなく、指標部５１、５２、５３自体を発光させるなど、指標部５１、５２、５３と発光部５５、５６、５７とが一体的に設けられる構成であってもよい。
【００５３】
また、操作装置が導光部材９０を３つ備える構成としたが、これに限るものではなく、ＬＥＤ毎に（即ち、各色の光毎に）仕切りを設けた１つの導光部材としてもよい。また、操作装置が赤色ＬＥＤ８５、青色ＬＥＤ８６及び黄色ＬＥＤ８７の３つのＬＥＤを備える構成としたが、これに限るものではなく、光源として１つの白色ＬＥＤを備える構成としてもよい。この構成の場合、導光部材を第１筒部の側面から３つの第２筒部を突設した形状とし、第１筒部に白色ＬＥＤを配し、選択項目表示部５の各発光部５５、５６、５７に対応する透光部分に異なる色のカラーフィルタを配し、３つの第２筒部に異なる色のカラーフィルタを配することによって、第１ダイヤルスイッチ１の回動に伴って選択位置マーク１１の色を変化させ、選択した選択項目に対応する発光部と同色で発光させることができる。
【００５４】
また、選択項目表示部５の発光部５５、５６、５７の光源と、第１ダイヤルスイッチ１の選択位置マーク（発光部）１１の光源とを共通のＬＥＤとする構成としたが、これに限るものではなく、第１ダイヤルスイッチ１に異なる色で発光する３つのＬＥＤを搭載し、第１ダイヤルスイッチ１の回動位置に応じて制御部７１がいずれか１つのＬＥＤを点灯させる構成としてもよい。
【００５５】
（変形例１）
図６は、変形例１に係る操作装置の動作を説明するための模式的平面図である。上述の実施の形態に係る操作装置は、第１ダイヤルスイッチ１の回動位置に応じて選択位置マーク１１の色が変化する構成であるが、これに限るものではなく、以下の変形例１に示すように選択位置マーク１１の発光色は変化せずに、選択項目表示部５の発光部５５、５６、５７の発光色が変化する構成としてもよい。
【００５６】
選択項目表示部５の風向設定、温度設定及び風量設定の各選択項目が非選択の状態において、風向設定の発光部５５は緑色に発光し、温度設定の発光部５６は青色に発光し、風量設定の発光部５７は黄色に発光する。また第１ダイヤルスイッチ１の選択位置マーク１１は、赤色に発光する。
【００５７】
選択位置マーク１１が風向設定の指標部５１の位置となるように第１ダイヤルスイッチ１が回動操作された場合（図６（ａ）参照）、風向設定の発光部５５は、発光色が緑色から赤色に変化する。次いで、選択位置マーク１１が温度設定の指標部５２の位置となるように第１ダイヤルスイッチ１が回動操作された場合（図６（ｂ）参照）、風向設定の発光部５５の発光色は赤色から緑色に戻り、温度設定の発光部５６は発光色が青色から赤色に変化する。更に、選択位置マーク１１が風量設定の指標部５３の位置となるように第１ダイヤルスイッチ１が回動操作された場合（図６（ｃ）参照）、温度設定の発光部５６の発光色は赤色から青色に戻り、風量設定の発光部５７は発光色が黄色から赤色に変化する。
【００５８】
（変形例２）
図７は、変形例２に係る操作装置の動作を説明するための模式的平面図である。上述の実施の形態に係る操作装置は、ユーザの操作を受け付けるための操作体として回動操作を受け付けるダイヤルスイッチを用いる構成であるが、これに限るものではなく、以下の変形例２に示すようにスライド操作を受け付けるスライドスイッチを用いる構成であってもよく、更にその他の構成の操作体を用いる構成であってもよい。
【００５９】
変形例２に係る操作装置は、操作パネルに形成された溝１０２に沿って横方向にスライドするスライドスイッチ１０１を備えている。スライドスイッチ１０１は、平面視で略四角形をなす移動体（移動部分）の表面に略三角形の選択位置マーク１１が設けられた構成をなしており、この移動体を溝１０２の中央、左端及び右端の３つの位置に移動させることができる。また、スライドスイッチ１０１の選択位置マーク１１は、スライド位置に応じて赤色、青色又は黄色のいずれかに発光する。
【００６０】
スライドスイッチ１０１及び溝１０２の隣には選択項目表示部５が設けられており、風向設定の指標部５１、温度設定の指標部５２及び風量設定の指標部５３が、スライドスイッチ１０１の３つの移動位置に対応付けて、スライドスイッチ１０１のスライド方向（溝１０２の長手方向）に並べて配されている。図示の例では、風向設定の指標部５１が左側に配され、温度設定の指標部５２が中央に配され、風量設定の指標部５３が右側に配されている。また、選択項目表示部５には、各指標部５１、５２、５３に並べて発光部５５、５６、５７が設けてある。風向設定の発光部５５は赤色に発光し、温度設定の発光部５６は青色に発光し、風量設定の発光部５７は黄色に発光する。
【００６１】
スライドスイッチ１０１を溝１０２の左端の位置へ移動させた場合（図７（ａ）参照）、スライドスイッチ１０１の選択位置マーク１１は、風向設定の発光部５５と同色に、赤色に発光する。また、スライドスイッチ１０１を溝１０２の中央の位置へ移動させた場合（図７（ｂ）参照）、スライドスイッチ１０１の選択位置マーク１１は、温度設定の発光部５６と同色に、青色に発光する。同様に、スライドスイッチ１０１を溝１０２の右端の位置へ移動させた場合（図７（ｃ）参照）、スライドスイッチ１０１の選択位置マーク１１は、風量設定の発光部５７と同色に、黄色に発光する。
【００６２】
以上の構成の変形例２に係る操作装置は、ユーザの操作を受け付ける操作体としてスライド操作を受け付けるスライドスイッチ１０１を備える場合であっても、図３に示したダイヤルスイッチにより回動操作を受け付ける操作装置と同様に、選択位置マーク１１を各選択項目の発光部５５、５６、５７に対応した色で発光させる構成とすることにより、図３の操作装置と同様に、ユーザはスライドスイッチ１０１によりいずれの選択項目が選択されているかを容易に且つ確実に認識することができる。
【符号の説明】
【００６３】
１  第１ダイヤルスイッチ（操作体）
２  第２ダイヤルスイッチ
３  液晶パネル
４  プッシュスイッチ
５  選択項目表示部
６  操作パネル
９  エアコン
１１  選択位置マーク（移動部分、発光部）
１１ａ  透光部分
１２  円環部
１３  円筒部
２１  連結部材
２５  ベース筒
５１、５２、５３  指標部
５５、５６、５７  発光部
５６ａ  透光部分
７１  制御部
７２  位置検知部
７３  ロータリエンコーダ
７４  プッシュ検知部
７５  発光制御部
７６  画像処理部
７７  出力部
７８  回路基板
８５  赤色ＬＥＤ（光源）
８６  青色ＬＥＤ（光源）
８７  黄色ＬＥＤ（光源）
９０  導光部材
９１  第１筒部
９２  第２筒部（導光手段）
９３  開口
１０１  スライドスイッチ（操作体）
１０２  溝
【図１】
2010192321.tif 000003
【図２】
2010192321.tif 000004
【図３】
2010192321.tif 000005
【図４】
2010192321.tif 000006
【図５】
2010192321.tif 000007
【図６】
2010192321.tif 000008
【図７】
2010192321.tif 000009